(57)【特許請求の範囲】
【請求項１】
本体と、
前記本体の長手方向両端部に設けられたソケット取付台と、
該ソケット取付台に固定され、直管形ランプが取り付けられるソケットと、
前記ソケット取付台に前記本体の長手方向に移動可能に取り付けられ、前記ソケットを覆うソケットカバーと、
前記ソケット取付台に固定されるバネと、を備え、
前記ソケットカバーは、
前記ソケット取付台に対向する面に形成された窪み部と、
前記ソケット取付台に対しスライド可能に係合する係止爪と、を備え、
前記ソケット取付台は、
前記係止爪と係合し、前記ソケットカバーが前記本体の長手方向へスライドするのをガイドするスライド穴と、
前記ソケットカバーが取り付けられるソケットカバー取付部と、を有し、
前記バネは、
折り曲げて成形され、前記窪み部と係合する引っ掛け部を備え、
前記ソケットカバー取付部の前記ソケットカバー側の面と反対側の面に固定され、
該引っ掛け部は、
前記ソケットカバーの方向に突出し、弾性力により前記ソケットカバーを付勢し、前記ソケットカバーが前記ソケットを覆った状態の時には前記窪み部に係合することにより前記ソケットカバーの移動を制限する、照明器具。
【請求項２】
前記係止爪は、
該ソケットカバーにおいて前記本体の短手方向の両端から前記ソケット取付台に向かって延びる突出カバー部に設けられ、
前記ソケット取付台は、
前記ソケットカバー取付部に開口された角穴をさらに備え、
前記引っ掛け部は、
前記角穴から突出する、請求項１に記載の照明器具。
【請求項３】
本体と、
前記本体の長手方向両端部に設けられたソケット取付台と、
該ソケット取付台に固定され、直管形ランプが取り付けられるソケットと、
前記ソケット取付台に前記本体の長手方向に移動可能に取り付けられ、前記ソケットを覆うソケットカバーと、
前記ソケット取付台に固定されるバネと、を備え、
前記ソケットカバーは、
前記ソケット取付台に対向する面に形成された窪み部と、
前記ソケット取付台に対しスライド可能に係合する係止爪と、を備え、
前記係止爪は、
該ソケットカバーにおいて前記本体の短手方向の両端から前記ソケット取付台に向かって延びる一対の突出カバー部のそれぞれに設けられ、
前記ソケット取付台は、
前記係止爪と係合し、前記ソケットカバーが前記本体の長手方向へスライドするのをガイドするスライド穴と、
前記ソケットカバーが取り付けられるソケットカバー取付部と、
前記ソケットカバー取付部の前記本体の短手方向の両端から垂直方向に延びる一対の垂直部と、を有し、
前記一対の突出カバー部は、
前記ソケットカバー取付面及び前記一対の垂直部を挟んで位置し、前記一対の垂直部に沿って延び、
前記バネは、
折り曲げて成形され、前記窪み部と係合する引っ掛け部を備え、
該引っ掛け部は、
前記ソケットカバーの方向に突出し、弾性力により前記ソケットカバーを付勢し、前記ソケットカバーが前記ソケットを覆った状態の時には前記窪み部に係合することにより前記ソケットカバーの移動を制限する、照明器具。
【請求項４】
前記窪み部は、
前記ソケットカバーの底面に形成され、
前記ソケットカバー取付部は、
前記ソケットカバーの前記底面に対向し、
前記底面は、
前記ソケットカバー取付部に沿って移動し、
前記バネの前記引っ掛け部は、
前記ソケットカバーを前記ソケットカバー取付部から離れる方向に付勢する、請求項１〜３の何れか１項に記載の照明器具。
【請求項５】
本体と、
前記本体の長手方向両端部に設けられたソケット取付台と、
該ソケット取付台に固定され、直管形ランプが取り付けられるソケットと、
前記ソケット取付台に前記本体の長手方向に移動可能に取り付けられ、前記ソケットを覆うソケットカバーと、
前記ソケット取付台に固定されるバネと、を備え、
前記ソケットカバーは、
前記ソケット取付台に対向する当該ソケットカバーの底面に形成された窪み部と、
前記ソケット取付台に対しスライド可能に係合する係止爪と、を備え、
前記ソケット取付台は、
前記係止爪と係合し、前記ソケットカバーが前記本体の長手方向へスライドするのをガイドするスライド穴と、
前記ソケットカバーの前記底面に対向するソケットカバー取付部と、を有し、
前記底面は、
前記ソケットカバー取付部に沿って移動し、
前記バネは、
折り曲げて成形され、前記窪み部と係合する引っ掛け部を備え、
該引っ掛け部は、
前記ソケットカバーの方向に突出し、弾性力により前記ソケットカバーを前記ソケットカバー取付部から離れる方向に付勢し、前記ソケットカバーが前記ソケットを覆った状態の時には前記窪み部に係合することにより前記ソケットカバーの移動を制限する、照明器具。
【請求項６】
前記係止爪は、
該ソケットカバーにおいて前記本体の短手方向の両端から前記ソケット取付台に向かって延びる突出カバー部に設けられ、
前記ソケット取付台は、
前記ソケットカバー取付部に開口された角穴をさらに備え、
前記バネは、
前記ソケットカバー取付部の前記ソケットカバー側の面と反対側の面に固定され、
前記引っ掛け部は、
前記角穴から突出する、請求項５に記載の照明器具。
【請求項７】
前記ソケット取付台の端部に取り付けられる端部カバーをさらに備え、
該端部カバーは、
前記ソケットカバーを係止する引っ掛け爪を有する、請求項１〜６の何れか１項に記載の照明器具。
【請求項８】
前記ソケットカバーは、
前記ソケットカバーの内部方向に突出する係止凸部を有するエンドカバー部を備え、
前記引っ掛け爪は、
前記本体の外方向に向かって突出し、前記係止凸部に係止する、請求項７に記載の照明器具。
【発明の詳細な説明】
【技術分野】
【０００１】
本発明は、照明器具に関し、特にソケットカバーのスライド構造に関するものである。
【背景技術】
【０００２】
蛍光灯などの直管形のランプを使用する照明器具は、その直管形ランプ取り付けるためのソケットが備えられている。ランプの両端にある端子をソケットに差し込み、ソケットからランプに電気が供給され、ランプが点灯する。ソケットには、ソケットの保護、美観及びランプの脱落防止のためにソケットカバーが設けられており、ソケットの周囲及びランプの端部を覆っている。直管形ランプをソケットに取り付け、又はソケットから取り外しする場合には、ソケットカバーをずらし、ソケットから直管形ランプの端子を外せる状態にして作業する。
【０００３】
従来の技術においては、ソケットカバーがスライド可能な構造にされているものが知られている。ソケットカバーに一対の係止突起を設け、それぞれの係止突起がガイドされるガイドリブに設けられた係止凹部に係止突起が嵌り、ソケットカバーの移動が制限される。係止突起は、ソケットカバーの弾性により係脱可能にされており、ソケットカバーの側壁を把持することにより係止凹部から脱し、ソケットカバーがスライド可能にされている。また、ソケットカバーのスライド時には、ソケットカバーの側壁の弾性力により係止突起はガイドリブの摺動凹部の内側面に沿って摺動するようになっている（例えば特許文献１参照）。
【先行技術文献】
【特許文献】
【０００４】
【特許文献１】登録実用新案第２５７３３７２号公報（第３頁）
【発明の概要】
【発明が解決しようとする課題】
【０００５】
しかし、ソケットカバーの側壁の弾性力により係止突起がガイドリブの係止凹部にはまるので、ソケットカバーをスライドさせるとき、ソケットカバーの側壁を把持すると、ソケットカバーの変形により係止突起が係止凹部から外れにくくなり、ソケットカバーをスライドさせる操作をするときに力量が必要となり、直管形ランプの交換作業の際に作業性が悪いという課題があった。
【０００６】
本発明は、上記の課題を解決するためになされたものであり、ソケットカバーのスライド作業時にスライド力量が高くならないようにし、ソケットカバーを容易にスライドさせることができ、直管形ランプの交換作業性の良い照明器具を提供することを目的とする。
【課題を解決するための手段】
【０００７】
本発明に係る照明器具は、本体と、前記本体の長手方向両端部に設けられたソケット取付台と、該ソケット取付台に固定され、直管形ランプが取り付けられるソケットと、前記ソケット取付台に前記本体の長手方向に移動可能に取り付けられ、前記ソケットを覆うソケットカバーと、前記ソケット取付台に固定されるバネと、を備え、前記ソケットカバーは、前記ソケット取付台に対向する面に形成された窪み部と、前記ソケット取付台に対しスライド可能に係合する係止爪と、を備え、前記ソケット取付台は、前記係止爪と係合し、前記ソケットカバーが前記本体の長手方向へスライドするのをガイドするスライド穴と、前記ソケットカバーが取り付けられるソケットカバー取付部と、を有し、前記バネは、折り曲げて成形され、前記窪み部と係合する引っ掛け部を備え、前記ソケットカバー取付部の前記ソケットカバー側の面と反対側の面に固定され、該引っ掛け部は、前記ソケットカバーの方向に突出し、弾性力により前記ソケットカバーを付勢し、前記ソケットカバーが前記ソケットを覆った状態の時には前記窪み部に係合することにより前記ソケットカバーの移動を制限する。
【発明の効果】
【０００８】
本発明によれば、ソケット取付台にガイド及びバネを設けることにより、ソケットカバーのスライド時にソケットカバーの側部を把持しても、ソケットカバーを容易にスライドさせることができ、照明器具の直管形ランプ交換作業の作業性を良くすることができる。
【図面の簡単な説明】
【０００９】
【図１】本発明の実施の形態１の照明器具を示す斜視図である。
【図２】図１の照明器具の裏面側を示す斜視図である。
【図３】図１の照明器具から直管形ＬＥＤランプを外した状態を示す斜視図である。
【図４】図１の照明器具の４面を表した図であり、（ａ）は正面、（ｂ）は平面、（ｃ）は底面、（ｄ）は側面から見た状態を表す図である。
【図５】図１の照明器具のソケットの周辺部品の構成を示す斜視図であり、（ａ）は、ソケットカバーがソケットを覆った状態、（ｂ）は、（ａ）の断面、（ｃ）は、ソケットカバーをスライドさせ、直管形ＬＥＤランプの端子をソケットに差し込み又は取り外しができる状態、（ｄ）は、（ｃ）の断面を示す。
【図６】図１の照明器具のソケット取付台を示す斜視図であり、（ａ）はバネが取り付けられる側から見た図であり、（ｂ）はソケットカバーが取り付けられる側から見た図である。
【図７】図１の照明器具のソケットカバーを示す斜視図であり、（ａ）はカバー部側から、（ｂ）はカバー基台部側から見た図である。
【図８】図１の照明器具の端部カバーを示す斜視図であり、（ａ）は本体に対し外側から、（ｂ）は本体の内部側からみた図である。
【発明を実施するための形態】
【００１０】
実施の形態１．
図を用いて、本実施の形態について説明する。
図１は、本実施の形態の照明器具１０を示す斜視図である。照明器具１０は、天井等の照明器具取り付け部（図示無し）に取り付けられる本体１００と、この本体１００の両端に取り付けられるソケット２００と、ソケット２００を覆い、スライド可能に本体１００に取り付けられるソケットカバー３００とを有する。
【００１１】
図２は、図１の照明器具１０の裏面側を示す斜視図である。本体１００は、図２に示されるように、本体１００の長手方向に延びる外観部を形成するフレーム１１０と、このフレーム１１０の両端に取り付けられるソケット取付台１２０と、ソケット取付台１２０の端部をカバーする端部カバー１３０とを備える。なお、フレーム１１０の長手方向の中央部には電源取付台１４０が取り付き、電源取付台１４０には電源装置６０などの電気部品が取り付けられている。ソケット取付台１２０及び電源取付台１４０には、照明器具１０の取り付けを兼ねる取付穴１２０ａ、取付穴１２０ｂ、取付穴１４０ａ、取付穴１４０ｂが設けられている。
【００１２】
図３は、図１の照明器具１０から直管形ＬＥＤランプ５０を外した状態を示す斜視図である。ソケット２００は、ソケットカバー３００に覆われている。ソケット２００に直管形ＬＥＤランプ５０を取り付けるには、ソケットカバー３００をスライドさせて、ソケット２００を露出させる必要がある。
【００１３】
図４は、図１の照明器具１０の４面を表した図であり、図４（ａ）は正面、図４（ｂ）は平面、図４（ｃ）は底面、図４（ｄ）は側面から見た状態を表す図である。図４（ｃ）に示されるように、直管形ＬＥＤランプ５０は本体１００の底面側に取り付けられている。図４（ａ）及び図４（ｄ）に示されるように、電源装置６０は、照明器具１０の本体１００の中央に設けられており、上側に突出している。図４（ｂ）に示されるようにソケット取付台１２０は、本体１００のフレーム１１０の両端に取り付けられている。ソケット２００は、ソケット取付台１２０に取り付けられており、図４（ａ）に示されるように、本体１００の上面から突出しない位置に設けられている。
【００１４】
図５は、図１の照明器具１０のソケット２００の周辺部品の構成を示す斜視図であり、図５（ａ）は、ソケットカバー３００がソケット２００を覆った状態、図５（ｂ）は、図５（ａ）の断面、図５（ｃ）は、ソケットカバー３００をスライドさせ、直管形ＬＥＤランプ５０の端子をソケット２００に差し込み又は取り外しができる状態、図５（ｄ）は、図５（ｃ）の断面を示す。ソケット取付台１２０は、本体１００のフレーム１１０に固定される。ソケット２００には、直管形ＬＥＤランプ５０の端子が差し込まれ、電源装置６０から電気が供給される構成になっている。ソケット２００は、ソケット取付台１２０に固定される。端部カバー１３０は、ソケット取付台１２０の端部を覆うようにして、ソケット取付台１２０に固定されている。ソケットカバー３００は、ソケット取付台１２０に対しスライド可能な状態で、ソケット取付台１２０にはめ込まれている。
【００１５】
図６は、図１の照明器具１０のソケット取付台１２０を示す斜視図であり、図６（ａ）はバネ１２２が取り付けられる側から見た図であり、図６（ｂ）はソケットカバー３００が取り付けられる側から見た図である。ソケット取付台１２０は、本体１００の長手方向から見ると中央に凸した部分を備えている。その凸した部分の図５における上面は、ソケットカバー取付部１２１ｄとなっており、ソケットカバー３００の底面がソケットカバー取付部１２１ｄに対向し、ソケットカバー取付部１２１ｄの面に沿ってする。ソケット取付台１２０は、折り曲げられて形成されており、ソケットカバー取付部１２１ｄの両側にソケットカバー取付部１２１ｄに対し垂直方向に折り曲げられた垂直部１２１ｅを備えている。さらにその垂直部１２１ｅから、ソケットカバー取付部１２１ｄと水平方向に、ソケットカバー取付部１２１ｄから離れる方向に曲げられている。その外側にはフレーム１１０との取付面１２１ｆが形成されている。垂直部１２１ｅ及びそこから延びる水平面にまたがって、ソケットカバー３００のスライド穴１２１ａが形成されている。スライド穴１２１ａは、ソケットカバー３００に形成された突出カバー部３３０の係止爪３３１が嵌りこみ、ソケットカバー３００をソケット取付台１２０に本体１００の長手方向にスライド可能に係合するものである。
【００１６】
ソケットカバー取付部１２１ｄには、その中央部にソケット２００が取り付けられるようにソケット取付穴１２１ｂが形成されている。ソケット取付穴１２１ｂは、２つの四角形を、中心をそろえて組み合わせた形になっており、一方の四角形は他方の四角形に対し幅が狭い四角形となっている。幅の広い四角形にソケット２００を挿入し、ソケット２００を幅の狭い四角形にスライドさせて、ソケット２００の筐体に形成された溝をソケット取付穴１２１ｂの内周端面にはめ込むことにより、ソケット２００をソケット取付台１２０に固定する。
【００１７】
ソケットカバー取付部１２１ｄには、ソケット取付穴１２１ｂの幅の広い四角形部分の両側（垂直部１２１ｅ側）に角穴１２１ｃが形成されている。ソケットカバー取付部１２１ｄのソケットカバー３００が取り付けられている面の裏側から、バネ１２２が取り付けられており、角穴１２１ｃからバネ１２２の一部が突出している。バネ１２２は、弾性を有する板状の板バネ部１２２ａ（図５（ｃ）及び図５（ｄ）を参照）と、この板バネ部１２２ａの一方の端部に設けられ、板バネ部１２２ａに対し垂直に「Ｌ」字状に折り曲げられた固定部１２２ｂと、板バネ部１２２ａの他方の端部側に「へ」の字状に折り曲げられて形成された引っ掛け部１２２ｃを有する。つまり、板バネ部１２２ａからソケットカバー３００が配置されている方向を高さ方向とすると、バネ１２２は、板バネ部１２２ａから斜めに折り曲げられ、板バネ部１２２ａから所定の高さで板バネ部１２２ａと同じ高さに戻るような方向に再度折り曲げられている。所定の高さとは、角穴１２１ｃから突出させてソケットカバー３００と係合したときに容易に動かない程度の力量が出る高さであり、バネの材質及び寸法により適宜設定されるものである。言い換えると、引っ掛け部１２２ｃは、側方から見ると三角形状の山形に成形されている。なお、バネ１２２の曲げ角度は、ソケットカバー３００に設けられた窪み部３２２の形状に応じ適宜設定される。固定部１２２ｂは、板金部１２１に引っかけて、バネ１２２がソケットカバー取付部１２１ｄにネジ固定するときの周り止めとして設けられたものである。引っ掛け部１２２ｃの「へ」の字状に曲げられた部分は、角穴１２１ｃから突出し、ソケットカバー３００の底面に設けられた窪み部３２２に係合することにより、ソケットカバー３００のスライドを所定の力量で固定し、移動を制限するものである。
【００１８】
図７は、図１の照明器具１０のソケットカバー３００を示す斜視図であり、図７（ａ）はカバー部３１０側から、図７（ｂ）はカバー基台部３２０側から見た図である。
ソケットカバー３００は、本体１００の長手方向に対し垂直な断面形状がＵ字形状に形成され、本体１００の端面側の端部がエンドカバー部３４０でふさがれ、直管形ＬＥＤランプ５０が取り付けられる側が開放されたカバー部３１０を備える。また、ソケットカバー３００は、その断面のＵ字形状の開放された側に形成されるカバー基台部３２０を有する。つまり、ソケットカバー３００は、カバー部３１０のＵ字形状がカバー基台部３２０を覆うような形で形成されている。また、ソケットカバー３００は、カバー基台部３２０の、本体１００の短手方向両側に突出し、カバー基台部３２０からカバー部３１０と逆方向に延びるＬ字形状の突出カバー部３３０を備える。突出カバー部３３０の内側面（カバー基台部３２０から突出した２つの突出カバー部３３０の対向する面）には凸形状の係止爪３３１が形成されている。係止爪３３１は、前述のように、ソケット取付台１２０のスライド穴１２１ａに嵌り込み、ソケットカバー３００をソケット取付台１２０に対して本体１００の長手方向にスライド可能な状態かつ、ソケットカバー３００がソケット取付台１２０から脱落しないように固定している。また、ソケットカバー３００のカバー基台部３２０において本体１００の短手方向の両端から突出カバー部３３０が設けられ、突出カバー部３３０がソケット取付台１２０の垂直部１２１ｅを抱え込むように係合されるため、ソケットカバー３００の本体１００の短手方向の動きも制限される。
【００１９】
カバー基台部３２０は、ソケット２００が挿入されるように開口され、その開口の周囲を「ロ」の字状に囲う（開口の四辺を四角形状で囲う）枠部３２１と、この枠部３２１の底面側（板金部に接する側）に「へ」の字状（枠部３２１を側方からみた時に三角形状）に切り取られ形成される窪み部３２２を有する。この窪み部３２２は、ソケットカバー３００をスライドした際に、引っ掛け部１２２ｃが嵌りこんで、ソケットカバー３００のスライドを抑制するものである。
【００２０】
また、エンドカバー部３４０は、カバー基台部３２０側に突出する係止凸部３４１を有する。この係止凸部３４１は、ソケット取付台１２０に固定された端部カバー１３０に設けられている引っ掛け爪１３１に引っかかる。引っ掛け爪１３１は、ソケットカバー３００の係止凸部３４１に引っかかり、カバー基台部３２０がソケットカバー取付部１２１ｄから離れる側に外れないように抑える。
【００２１】
図８は、図１の照明器具１０の端部カバー１３０を示す斜視図であり、図８（ａ）は本体１００に対し外側から、図８（ｂ）は本体１００の内部側からみた図である。端部カバー１３０は、ソケット取付台１２０のソケットカバー取付部１２１ｄの端部に取り付けられて、照明器具１０の外観面（意匠面）を形成する。この端部カバー１３０は、ソケット取付台１２０の方向に向けた２箇所の係止部１３２を有する。係止部１３２が配置されている位置は、ソケットカバー３００を挟む形で、ソケットカバー３００の両脇にある。係止部１３２は、本体１００に取り付けられているフレーム１１０の端部を抑え、フレーム１１０と端部カバー１３０との隙間を抑制する。
【００２２】
次に、照明器具１０の本体１００の組み立てについて説明する。
まず、フレーム１１０の両端にソケット取付台１２０を取り付ける。このソケット取付台１２０のソケット取付穴１２１ｂにソケット２００を挿入して固定し、さらにバネ１２２の引っ掛け部１２２ｃが角穴１２１ｃから突出するように、ソケットカバー３００を取り付ける面の裏側からバネ１２２を組み付け、ビスにより固定する。次に、このソケット２００を覆うように、ソケットカバー３００を取り付ける。このとき、ソケットカバー３００の係止爪３３１がスライド穴１２１ａに引っ掛かるように取り付ける。
【００２３】
次に、端部カバー１３０をフレーム１１０の端部から嵌め込む。係止部１３２がカバー基台部３２０に引っ掛かり、ソケットカバー３００がソケット取付台１２０から外れるのを防止する。かつ、係止部１３２は、ソケット取付台１２０のスライド穴１２１ａと係合し、ソケットカバー３００の移動をガイドするものである。
【００２４】
次に、照明器具１０を車両の天井などの被取付部（図示無し）への取り付けについて説明する。
被取付部には予め電源装置６０が入り込む分の埋込穴が設けられている。被取付部の埋込穴から電源線を引き出し、電源端子台若しくは口出し線に接続する。照明器具１０を取り付ける際、電源装置６０を前述の被取付部の埋込穴を狙って設置し、フレーム１１０に設けられた穴１１０ａ〜１１０ｄにネジを通し、ソケット取付台１２０に設けた取付穴１２０ａ、取付穴１２０ｂ、及び電源取付台１４０に設けた取付穴１４０ａ、取付穴１４０ｂを用いて被取付部に固定する。
【００２５】
次に、ソケットカバー３００を本体１００の長手方向に広げるようにスライドさせ、直管形ＬＥＤランプ５０が取り付けられるようにソケット２００を露出させ、このソケット２００に直管形ＬＥＤランプ５０を装着する。
【００２６】
直管形ＬＥＤランプ５０を装着状態にしてから、ソケットカバー３００を本体１００に向かってスライドさせる。このとき、カバー基台部３２０の底面に引っ掛け部１２２ｃが押されて板バネ部１２２ａが弾性変形し、ソケットカバー３００をさらにスライドさせると、引っ掛け部１２２ｃが窪み部３２２に嵌りこむとともに、係止凸部３４１が引っ掛け爪１３１に係止する。
【００２７】
以上のように照明器具１０は組み立てられるが、以下に、本実施の形態に係る照明器具１０の構造と、それによる効果について述べる。本実施の形態に係る照明器具１０において、ソケットカバー３００は、ソケット取付台１２０に対向する面に形成された窪み部３２２と、ソケット取付台１２０に対しスライド可能に係合する係止爪３３１と、を備える。そして、ソケット取付台１２０は、係止爪３３１に係合し、ソケットカバー３００が本体１００の長手方向へスライドするのをガイドするスライド穴１２１ａと、を有する。バネ１２２は、折り曲げて成形され、窪み部３２２と係合する引っ掛け部１２２ｃを備える。また、引っ掛け部１２２ｃは、ソケットカバー３００の方向に突出し、弾性力によりソケットカバー３００を付勢し、ソケットカバー３００がソケット２００を覆った状態の時には窪み部３２２に係合することによりソケットカバー３００の移動を制限する構成をとる。以上のような構成を取ることにより、ソケットカバー３００のカバー部３１０を把持してスライドしても、ソケットカバー３００がソケット取付台１２０に引っ掛かることがないので、小さい力でソケットカバー３００をスライドさせることができる。また、照明器具１０の使用時には、ソケットカバー３００が外力により容易にずれることがないように保持される。
【００２８】
さらに、本実施の形態に係る照明器具１０において、係止爪３３１は、ソケットカバー３００において本体１００の短手方向の両端からソケット取付台１２０に向かって延びる突出カバー部３３０に設けられている。ソケット取付台１２０は、ソケットカバー３００が取り付けられるソケットカバー取付部１２１ｄに開口された角穴１２１ｃをさらに備える。バネ１２２は、ソケットカバー取付部１２１ｄのソケットカバー３００側の面と反対側の面に固定される。そして、引っ掛け部１２２ｃは、角穴１２１ｃから突出する構成を取る。以上のような構成をとることにより、ソケットカバー３００のスライド移動時にバネ１２２が動きを阻害することなく、力量を増加させることがないため、作業性が向上する。また、バネ１２２がソケット取付台１２０のソケットカバー取付部１２１ｄの裏面にビス留めされているため、ソケットカバー３００が組み立てられた状態でもバネ１２２の取付及び取り外しも容易であり、修理等も容易となる。
【００２９】
また、本実施の形態に係る照明器具１０は、ソケット取付台１２０の端部に取り付けられる端部カバー１３０をさらに備え、端部カバー１３０は、ソケットカバー３００を係止する引っ掛け爪１３１を有する構成を取る。この構成を取ることにより、ソケットカバー３００と端部カバー１３０との隙間を抑えることができ、さらには振動などの外力によって、ソケットカバー３００がソケット取付台１２０から外れるのを防止することができる。
【００３０】
さらに、本実施の形態に係る照明器具１０は以下の構成を取る。ソケットカバー３００は、ソケットカバー３００の内部方向に突出する係止凸部３４１を有するエンドカバー部３４０を備え、引っ掛け爪１３１は、本体１００の外方向に向かって突出し、係止凸部３４１に係止する構成を取る。この構成により、ソケットカバー３００と端部カバー１３０との隙間を抑えることができ、さらには振動などの外力によって、ソケットカバー３００がソケット取付台１２０から外れるのを防止することができる。
【符号の説明】
【００３１】
１０  照明器具、５０  直管形ＬＥＤランプ、６０  電源装置、１００  本体、１１０  フレーム、１１０ａ  穴、１１０ｂ  穴、１１０ｃ  穴、１１０ｄ  穴、１２０  ソケット取付台、１２０ａ  取付穴、１２０ｂ  取付穴、１２１  板金部、１２１ａ  スライド穴、１２１ｂ  ソケット取付穴、１２１ｃ  角穴、１２１ｄ  ソケットカバー取付部、１２１ｅ  垂直部、１２１ｆ  取付面、１２２  バネ、１２２ａ  板バネ部、１２２ｂ  固定部、１２２ｃ  引っ掛け部、１３０  端部カバー、１３１  引っ掛け爪、１３２  係止部、１４０  電源取付台、１４０ａ  取付穴、１４０ｂ  取付穴、２００  ソケット、３００  ソケットカバー、３１０  カバー部、３２０  カバー基台部、３２１  枠部、３２２  窪み部、３３０  突出カバー部、３３１  係止爪、３４０  エンドカバー部、３４１  係止凸部。
【図１】
0006624804.tif 000002
【図２】
0006624804.tif 000003
【図３】
0006624804.tif 000004
【図４】
0006624804.tif 000005
【図５】
0006624804.tif 000006
【図６】
0006624804.tif 000007
【図７】
0006624804.tif 000008
【図８】
0006624804.tif 000009